(57)【要約】【目的】現在使用している診察台の診察面に清浄なシートを診察毎に連続して引き出して使用するシートを毎回カットすることができる清浄装置である。【構成】診察台の一端部にシート案内プレートを設け、そのシート案内プレートの前後両端に相対向する側部支持枠を形成し、この側部支持枠には、上部の回転ローラーと、下部に掛吊溝を設けて着脱自在のシート巻込みロールを架設する。また、診察台の端部には、シートカッターを装設してある。また、各種のシートの裏面には、低粘着剤を被着すると共に、回転ローラーの表面に各種の模様等を刻設したことを特徴としている。【特許請求の範囲】
【請求項１】
診察台本体（１）の診察台（２）には一端部の上面に短手方向のシート案内プレート（３）を架設し、該シート案内プレート（３）には、両端に各々相対向する側部支持枠（５）（５）とを形成し、該側部支持枠（５）（５）には、上部の該シート案内プレート（３）と水平位置に回転ローラー（７）を架設し、且つ該側部支持枠（５）（５）の下方には、一方を開口した掛吊溝（１３）（１３）を各々形成し、該掛吊溝（１３）（１３）には、シート（８）を巻着したシート巻込みロール（６）を回転軸（１４）（１４）を以って着脱自在に架設し、該診察台（２）の他端部には、該シート（８）が移動した後に切断するためのシートカッター（９）を所定位置に装設したことを特徴とする動物診察台のシート送り出し清浄装置。
【請求項２】
請求項１における該シート（８）を滅菌すると共に、その構成材料を合成樹脂製シート、紙製シート等を使用し、該シート（８）の裏面に低粘着剤を塗布したことを特徴とする請求項１の動物診察台のシート送り出し清浄装置。
【請求項３】
請求項１における回転ローラー（７）の構成材料を、金属又は各種の合成樹脂を使用して形成すると共に、該回転ローラー（７）の表面に各種の模様等を刻設したことを特徴とする請求項１の動物診察台のシート送り出し清浄装置。
【発明の詳細な説明】
【０００１】
【産業上の利用分野】
本発明は、各種の動物を診察台の上での清浄作業、処置作業の時に使用する診察台上のシートを毎回診察毎に新規なシートを連続して使用面をカット供給できる動物診察台のシート送り出し清浄装置に関するものである。
【０００２】
【従来の技術】
従来、この種の動物診察台においては、受診する動物の診察前と、診察後には診察面に対してアルコールを噴霧して消毒した後に拭き取り、次の動物の診察台として使用している現状である。また、診察台の天板の上に合成樹脂製のシートや紙製のシート等を毎回交換して診察している現状である。
【０００３】
【発明が解決しようとする課題】
従来の技術で述べたものにおいては、ペットオーナーの眼前で作業するため、天板の診察台の消毒が不充分であったり、診察中にシートが移動したり、清浄感に不安が生ずる問題点があった。
また、従来の作業では動物診察後、アルコールを噴霧した後に、表面を拭き取る作業は、各々個人差があるため、ペットオーナーの方には消毒作業に大変に不安感を持つと云う問題点もある。
さらに、診察台の天板に敷設する合成樹脂製シート、紙製シートの場合には、シートが固定されていないため、動物の動きによって各シートは容易に移動すると云う問題点もある。
本発明は、従来の作業より生ずる問題点に鑑みてなされたものであり、その主たる目的とする所は、現在使用している診察台にそのまま載置利用し、診察毎に新しい、シート巻込みロールよりシートを連続して引き出して清潔に使用し、且つシートの裏面には低粘着剤を塗布すると共に診察台よりの移動を防止し、診察後にはシートを巻取り、巻取したシートの使用面を容易にカットできる動物診察台のシート送り出し清浄装置を提供するものである。
【０００４】
【課題を解決するための手段】
本発明は、上記目的を達成するために、診察台本体の診察台には、一端部にシート案内プレートを架設する。該シート案内プレートの前後両端に相対向する側部支持枠を形成する。該側部支持枠には、上部に該シート案内プレートと水平位置にシートを案内する回転ローラーを軸着する。また、該側部支持枠の下部には、各々一方が開放した掛吊溝を形成し、該掛吊溝には、裏面に低粘着剤を塗布した滅菌されたシートのシート巻込ロールを回転自在に架設してある。さらに、該診察台の他端部には、該シートが引っ張られて移動した後に使用済みシートを切断するためのシートカッターを装設してあるものである。
【０００５】
【作用】
次に本発明における診察台本体の用法を説明すると、診察台（２）に対して、シート巻込みロール（６）よりシート（８）を表面に模様等を形成した回転ローラー（７）を得て引き出し、滅菌されたシート（８）の裏面の低粘着剤側をシート案内プレート（３）の上を通り過ぎさせて診察台（２）の全面を覆う状態に敷設する。
そして、診察等の処置をした後にシート（８）を切断シート部（１６）より順次引き出し、新しいシート面を引き出しながら巻取り、診察台（２）の他端部に設けたシートカッター（９）によってカット排除する。この時、シート（８）の表面の抜毛、皮膚等の汚染されたシート面は、内部に巻込む作業のため、内部に捕捉されるために周囲を汚染しないものである。
【０００６】
【実施例】
次に、本発明の実施例を図面について説明すると、図１に示すものは、診察台本体（１）の一部欠除した全体正面図であって、図４に示す如くその診察台（２）の一端部の上面に各種の模様等を刻設した回転ローラー（７）と水平位置に滅菌されたシート（８）を案内する短手方向のシート案内プレート（３）を架設してある。該シート案内プレート（３）の短手方向の前後両端を折り曲げて各々相対向する側部支持枠（５）（５）とを形成してある。
３図に示す如く、相対向する該側部支持枠（５）（５）には、上部の該シート案内プレート（３）と平行した位置の前方に該回転ローラー（７）を両端の回転軸（１５）（１５）を以って回転自在に軸着してある。なお該回転ローラー（７）の構成材料としては、金属又は各種の合成樹脂等を使用してある。
また、該側部支持枠（５）（５）には、下方に一方を開口した掛吊溝（１３）（１３）を相対向して形成する。該掛吊溝（１３）（１３）には、表面に低粘着剤を塗布した該シート（８）を巻着してある。シート巻込みロール（６）は、両端に設けた回転軸（１４）（１４）を以って架設してある。
さらに、該診察台（２）の他端部には、診察が終了した後に巻き取りされたシート（８）を取換えする場合に引き出されたシート（８）を切断する時に使用するための各種形状のシートカッター（９）を所定位置に装設してある。符号（１６）は、シート（８）の切断シート端部を示したものである。（１７）は、脚部の一部を示したものである。
なお、シート巻込みロール（６）に巻着されている滅菌されたシート（８）の構成材料としては、紙製シート及び焼却時にダイオキシンが発生しない合成樹脂としてはポリエチレン樹脂を使用する。また、シート（８）の膜層の厚みは薄接着剤を含んで１８μ〜７０μの範囲内で製作されたものを使用する。
さらに、権利の範囲内において、図示されていないが、シートカッター（９）を回転ローラー（７）の直ぐ後方位置に隣設することもある。この場合は使用済のシート（８）を、隣接した該シートカッター（９）にてカットする。この部分よりシート（８）を巻き取って新しいシート（８）を回転ローラー（７）より引っ張り出す作業をした後、診察台（２）の裏面全体にシート（８）を敷設するものである。
【０００７】
【発明の効果】
以上説明したように、本発明のシート送り出し装置によれば、従来の如く、シート類を毎回交換する面倒な手間も無く、且つペットオーナーの眼前での消毒及び拭き取りによる不安感を解消できる便利な効果と、使用したシート面を巻き取りながら引き出すことにより、清潔なシート面が診察台上に敷設できると云う便利で衛生的な効果がある。そして、診察台の一端部の上面に架設したシート案内プレートによっては、シートの引き出しの案内を容易とすると共に、特に既設の診察台に安定的に載置装設できる便利な効果がある。また、該シート案内プレートの前後両端に相対向する側部支持枠を設け、該側部支持枠の上部に回転ローラーを該シート案内プレートの水平位置に架設軸着したので、回転ローラーによってシートを診察台上に確実容易に巻き込みながら引き出しできる効果がある。また、回転ローラーの表面に各種の模様等を刻設したことにより、シートとの付着力を低下させシートの送り出しを容易とし、且つシートの横振れ等を防止する効果がある。さらに、該側部支持枠の下方に設けた掛吊溝によっては、シート巻込みロールの着脱が容易となり、取換えが極めて容易とする効果がある。また、診察台の他端部に設けたシートカッターによっては、該シートの取換えの特にシートの切断が容易となる効果がある。
また、各種のシートの裏面側に低粘着剤を塗布したことにより、診察後のシートの交換する時に、診察シートの汚染面の切断シート端部を内側にして巻き込むので、裏面の低粘着剤によって脱毛、皮膚等を接着させ飛散するのを防止すると共に、大変に衛生的となる効果がある。
【図面の簡単な説明】
【図１】本発明の診察台本体の一部欠除した全体的な正面図である。
【図２】同じく本発明の回転ローラーとシート巻込みロールを示す側面図である。
【図３】本発明の一部欠除した拡大した正面図である。
【図４】同じく本発明のシート案内プレートと回転ローラーを示す上面よりの平面図である。
【符号の説明】
１          診察台本体
２          診察台
３          シート案内プレート
５          支持枠
６          シート巻込みロール
７          回転ローラー
８          シート
９          シートカッター
１２        止軸
１３        掛吊溝
１４、１５  回転軸
１６        切断シート端部
【図１】
2004321735.tif 000002
【図２】
2004321735.tif 000003
【図３】
2004321735.tif 000004
【図４】
2004321735.tif 000005